(57)【要約】  本発明は、液体処理製品（３）を室の体積内に噴霧することにより、前記室の汚染を除去する装置であって、前記製品（３）を受容するタンク（２）と、室の表面領域内に製品（３）の微小滴を生成することができる手段（４）と、微小滴と混合しながら微小滴を運ぶ気流を形成することができる手段（６）と、かように形成されたミストを室内に噴射するよう適合された手段（１０、１２）と、を備える、装置に関する。この装置は、気流が、気流の軸と一致する軸（ｘｘ’）を有する収束管（１８）を通り抜け、この管が、液体製品（３）の表面の近傍に開放し、かつ表面に対して角度（β）で傾斜していることを特徴とする。
2012515589.tif 000002
【特許請求の範囲】
【請求項１】
液体処理製品（３）を室の体積内にミスト散布することによる、前記室の汚染除去用の装置であって、前記製品を受容するタンク（２）と、前記製品（３）の表面領域内に前記製品の微小滴を生成するのに好適な手段（４）と、これらの微小滴と混合することにより前記微小滴を伴出可能な気流を形成するのに好適な手段（６）と、かように形成された前記ミストを前記室内に噴射するのに好適な手段（１０、１２）と、を備えるタイプの装置において、前記気流が前記気流の軸と一致する軸（ｘｘ’）を有する収束管（１８）を交差し、この管が、前記液体製品（３）の前記表面の近傍に開放し、かつ前記表面に対して角度（β）で傾斜していることを特徴とする、装置。
【請求項２】
前記収束管（１８）の前記傾斜角（５）が、前記液体の前記表面に対してほぼ４５°であることを特徴とする、請求項１に記載の汚染除去装置。
【請求項３】
前記気流を形成する前記手段が、ファン（６）により構成されることを特徴とする、請求項１又は２に記載の汚染除去装置。
【請求項４】
前記小滴を生成する前記手段が、圧電発電機（４）から構成されることを特徴とする、請求項１〜３のいずれか一項に記載の汚染除去装置。
【請求項５】
前記圧電発電機（４）が、前記タンク（２）の底部に配置されていることを特徴とする、請求項４に記載の汚染除去装置。
【請求項６】
前記収束管（１８）を離れる前記気流が、前記圧電発電機（４）の上方に位置する前記処理液体の前記表面上に指向されていることを特徴とする、請求項４又は５に記載の汚染除去装置。
【請求項７】
前記気流と混合される前記処理液体小滴のサイズを制御する手段（１０）を備えることを特徴とする、請求項１〜６のいずれか一項に記載の汚染除去装置。
【請求項８】
前記制御手段が、規定の高さ（ｈ）を有する実質的に垂直な円筒管（１０）から構成され、前記円筒管の上流端が前記処理液体小滴の生成領域の上方に配置され、下流端には噴射ノズル（１２）が設けられていることを特徴とする、請求項７に記載の汚染除去装置。
【請求項９】
噴射ノズルが、収束ライン（１２）から構成されていることを特徴とする、請求項８に記載の汚染除去装置。
【請求項１０】
前記タンク（２）が、処理液体（３）供給手段（９）を含み、またレベル制御手段と関連した前記タンク（１４）内の前記液体用の高レベルセンサ（１９）及び低レベルセンサ（１７）も含むことを特徴とする、請求項１〜９のいずれか一項に記載の汚染除去装置。
【請求項１１】
前記タンクが、液体の不在を検出するセンサ（２０）を含むことを特徴とする、請求項１０に記載の汚染除去装置。
【請求項１２】
前記センサ（１７、１９、２０）に、微小滴を生成するのに好適な前記手段により生じる撹乱に対抗する保護要素（２１）が設けられていることを特徴とする、請求項１０に記載の汚染除去装置。
【請求項１３】
前記供給手段がポンプ（９）、例えば、特に蠕動タイプの可逆ポンプから構成されていることを特徴とする、請求項１０〜１２のいずれか一項に記載の汚染除去装置。
【請求項１４】
処理液体の前記供給手段（９）の流速（ρ１）を計算する電子手段（１４）を備え、前記計算が、前記供給手段が前記液体レベルを１つのセンサから他のセンサへ至らせるのに要する時間（ｔ１）の測定値に基づいていることを特徴とする、請求項１０〜１３のいずれか一項に記載の汚染除去装置。
【請求項１５】
分布される前記液体の前記レベルを、上部センサの検出位置から下部センサの検出位置まで低下させるのに前記装置が要する時間（ｔ２）を測定することにより、前記装置の分布速度（ρ２）を計算する電子手段（１４）を備えることを特徴とする、請求項１０〜１４のいずれか一項に記載の汚染除去装置。
【請求項１６】
特にサイクル完了時に、前記ポンプ（９）により前記タンク（２）内に残留する前記処理液体を回収して貯蔵バレル内に戻すのに好適な手段を備えることを特徴とする、請求項１３〜１５のいずれか一項に記載の汚染除去装置。
【発明の詳細な説明】
【技術分野】
【０００１】
本発明は、殺菌製品を処理するべき表面、特に室内の壁及び物体上にミスト散布することによる、汚染除去用の装置に関する。
【背景技術】
【０００２】
汚染の原因であり、室内の空気中に浮遊する細菌因子は、室内に収容された様々な表面及び物体上に堆積する傾向があることが知られている。また、逆に、室（例えば、手術室、クリーンルーム又は様々なケア室等）内の物体及び壁上で発達した細菌因子は、大気中に浮遊し始める傾向を有する。したがって、これらの室は、一方の壁及び物体と、他方の大気との間の連続した交換状態を有することが見出されている。
【０００３】
室の容積内に殺菌製品を噴霧することによって、全体的な汚染除去、即ち室内の大気と様々な壁及び物体との両方の汚染除去を確実にすることが提案されている。噴霧によるこの種の殺菌は、いくつかの欠点を有することが観察されている。
【０００４】
第１に、形成される小滴のサイズが比較的大きく（空気３〜５ｍＬ／分の流速で８０〜２００μｍのオーダー）、それにより小滴はその噴霧位置の近辺の表面上に重力のみで沈着され、これは勿論、噴霧噴射器から遠方の表面が未処理のままとなる点で満足できるものではない。
【０００５】
第２に、小滴の大きいサイズにより、小滴が一緒になって室内の壁及び物体の表面上に湿った膜、更には液体のたまりを形成する傾向がある。
【０００６】
本出願人の名称による特許ＦＲ  ２  ８５９  ６５０には、２μｍ〜２０μｍのオーダーの寸法を有し、それにより室の全容積内に浮遊して見出され、かつ連続的な膜を形成する程凝集することなく、室内に収容される壁及び物品上に沈着する性質を有する微小滴を得ることを可能にする噴射装置を利用することにより、噴霧小滴の細分を改良することが提案されており、かように生成されたミストは、「ドライミスト」と称されている。
【０００７】
本発明の変形によれば、噴射装置は、噴射器出口の下流に配置された超音波「共振器」を備え、それにより噴射器を退出する流れが分裂に付されて、滴のある種の「回折」が形成され、これは滴を尚より小さくする効果を有し、滴の分布の均質性を更に高めることを可能にする。
【０００８】
出願ＦＲ  ０９．０００１３４において、出願人はまた、特定の噴射器を利用することにより分裂が得られる、ミスト散布による処理のための装置を提案しているが、噴射器は、加圧ガス流の受容を意図する軸方向収束脈（vein）と、円筒形状脈と、軸方向発散脈とから連続的に構成される主な脈を含み、前記噴射器は更に、実質的に横断方向の、少なくとも１つの二次脈を含み、処理液体の流れを収容することを意図し、かつ収束脈から下流に開放し、また円筒形状脈の軸は、収束脈及び発散脈の長手方向軸に対してある角度でずれている。
【０００９】
そのような装置は２００〜３００ｍ３のオーダーの大きい容積の室の処理を可能にして、それにより、処理製品から構成される「ドライミスト」を形成し、任意のばい菌の完全な根絶を得ることを可能にする。
【００１０】
米国特許第第２００８／２２３９５３号からは、圧電手段を利用してその表面上に微小滴を生成し、次に小滴が気流中で伴出される、処理製品の噴霧用の装置が既知である。しかしながら、その構成によって、この装置により生成された気流は液体の表面に到達するのに先だって、流速を低下させる効果を有し、また装置により生じる騒音を増大させる多数の反射を経て、処理液体の放散が損なわれることが認められるであろう。
【発明の概要】
【課題を解決するための手段】
【００１１】
本発明の目的は、特に５０ｍ３のオーダーの小体積の室を処理することを意図する、同一のタイプの処理装置を提案することにある。この装置は、相当の速度で処理流体の表面上に到着する気流を生成することにより、圧電手段により放出された液体微小粒子を伴出し、大気中へのミスト散布を容易にするが、これは、例えば単純なファン等の複雑でない気流生成手段により行われる。
【００１２】
したがって、本発明の装置は軽量かつ低容積であり、これが装置を容易に輸送可能とし、また特にコンセントへの電気接続を必要とすることなく、設置が容易かつ迅速である。
【００１３】
それ故、本発明の目的は、液体処理製品を室の体積内にミスト散布することによる、室の汚染除去用の装置であり、装置は、前記製品を受容するタンクと、製品の表面領域内に製品の微小滴を生成するのに好適な手段と、これらの微小滴をそれとともに混合することにより微小滴を伴出可能な気流を形成するのに好適な手段と、かように形成されたミストを室内に噴射するのに好適な手段と、を備えるタイプであり、気流が前記気流の軸と一致する軸を有する収束管を交差し、この管は、液体製品の表面の近傍に開放し、かつ前記表面に対して傾斜していることを特徴とする。
【００１４】
収束管の傾斜角は、２０〜６０°に含まれ、好ましくは液体の表面に対して４５°のオーダーであろう。
【００１５】
気流を形成する手段は、ファンにより構成されてもよく、小滴を生成する手段は、タンクの底部に配置された圧電発電機から構成されてもよい。
【００１６】
好ましくは、収束管を離れる気流は、圧電発電機の上方に位置する処理液体の表面上に指向されるであろう。
【００１７】
本発明による汚染除去装置は、気流と混合された処理液体小滴のサイズを制御する手段を備えてもよい。この制御手段は、規定の高さを有する実質的に垂直な円筒管から構成されてもよく、その上流端は、処理液体小滴生成領域の上方に配置され、下流端には、特に収束ラインから構成された噴射ノズルが設けられるであろう。
【００１８】
タンクは、処理液体供給手段を含んでもよく、またレベル制御手段と関連した、タンク内の液体用の高及び低レベルセンサもまた含み得る。更に、タンクは、液体の不在を検出する少なくとも１つのセンサもまた含み得る。
【００１９】
装置に装備される様々なセンサには、変換器によりもたらされる撹乱に対抗する保護要素が設けられてもよい。
【００２０】
供給手段はポンプ、例えば、特に蠕動タイプの可逆ポンプから構成されてもよい。
【００２１】
汚染除去装置には、処理液体供給手段の流速を計算する電子手段が設けられてもよく、この計算は、前記供給手段が液体レベルを１つのセンサから他のセンサへ至らせるのに要する時間の測定値に基づいている。汚染除去装置はまた、分布される液体のレベルを上部センサの検出位置から下部センサの検出位置まで低下させるのに装置が要する時間の測定値により、分布速度を計算する電子手段も備え得る。
【００２２】
最後に、本発明の装置は、特にサイクル完了時に、前記ポンプ手段によりタンク内に残留する処理液体を回収して貯蔵バレル内に戻すのに好適な手段を備えてもよい。
【図面の簡単な説明】
【００２３】
非限定的な例として、本発明の実施形態を添付の図面を参照して以下に説明する。
【図１】本発明による汚染除去装置の垂直、横断断面図。
【図２】図１に示される汚染除去装置の部分垂直断面図。
【図３】本発明による汚染除去装置の構成内に入る様々な回路の概略形態。
【図４】本発明による装置用のタンクの実施変形物の部分分解斜視図。
【発明を実施するための形態】
【００２４】
図１は、本発明による汚染除去装置１の実現形態の実施例を示す。
【００２５】
この図において、装置は、処理される室内に乾燥ミスト形態で分布されるべき処理液体を受容することを意図するタンク２を備える。このタンク２は蓋２ａで閉鎖され、この蓋は、好ましくはタンクを密封することを可能にし、圧電セラミック変換器４と共にタンクの底部に設けられ、この変換器４は、周知の様式で、特に１．８ＭＨｚのオーダーの図示されない高周波発電機により変換器の共振周波数で電力を供給された際に振動するよう適合されている。
【００２６】
本発明の本実施形態では、気流を生成する手段は、ファン６と、それに続く収束管１８及び円筒状ライン８から構成される。ファン６は、作動している時、外部から空気を引き込み、ライン１８及び８を通して３０Ｌ／分のオーダーの流れの形態で空気を推進するよう取り付けられている。
【００２７】
ファン６が気流を推進する軸ｘｘ’は、収束管１８の軸及び円筒状ライン８の軸と一致している。この共通軸ｘｘ’は、角度β（２０°〜６０°に含まれる値、好ましくはほぼ４５°）で液体の表面に対して傾斜し、変換器４の上方に位置する液体３の表面領域上に指向され、そのため変換器４によって刺激される。
【００２８】
タンク２の底部には先端部５が設けられるが、これにより、図３に示されるように、可撓性チューブ７を介してタンク２を供給ポンプ９、例えば可逆蠕動ポンプに接続することを可能し、前記ポンプは、ライン１１により、処置製品を収容するリザーバ、即ちカートリッジ１３に接続される。装置は、特にマイクロコントローラ１４から構成される電子制御手段を備えるが、このコントローラは制御操作部１５に結合され、ポンプ９、ファン６及びまたタンク２内に存在する液体レベルを制御する手段に接続されている。
【００２９】
変換器４の上方に、その上部分で収束ノズル１２により終結される垂直管１０が配置され、その軸ｙｙ’は液体の表面又はタンク２の底部に対して角度αで傾斜している。この角度αは、４５°のオーダーであることが好ましい。
【００３０】
これらの条件下で、本発明による装置の作用は、以下のように構成される。
【００３１】
変換器４が、好ましくはその共振周波数に近い周波数における電流で電力を供給されて励起された際、それは振動を開始して、処理液体中にキャビテーション効果を形成し、表面へ上昇した後に破裂することで微細ミストを形成する気泡を生成する。ファン６により生成される気流効果は、このミストを回収し、気流と混合されたミストを管１０を通して外部に伴出することである。
【００３２】
ファン６により生成される気流の管１８内での加速は、このような混合物の伴出の有効性を改善することを可能にし、下記のように、伴出される液滴のサイズの調整を可能にする予備伴出能力を有するであろう。
【００３３】
実際に、このように形成されたミストは、微小滴及びより大きい小滴の両方を含むことが認められている。したがって、維持された場合に、この種の用途には回避されるべき湿潤効果を有する、この後者を排除する必要がある。垂直管１０は、特に、装置の外に噴霧された滴のサイズを制御及び制限する機能を有する。ファン６が吹かせる気流の力を調整し、また管１０の高さｈを調整することにより、より大きい滴が、出口において、それ自体の重量の力の下でタンク２内に後退する程度に、出口での滴の寸法を制御できることが観察されている。換言すれば、本発明の装置の設計者は、ファン６の力と、管１０の高さｈとを操作することにより、装置の出口における滴のサイズを制御できる可能性を有する。
【００３４】
更に、管１０の延長部分に配置された出口ノズル１２に収束形状を付与することにより、より密なミストが形成され得る渦を回避して、出口噴出の品質が改善されることが観察された。
【００３５】
レベル制御手段は、図２に示されるように、２つのセンサ、詳細には低レベル検出センサ１７及び高レベル検出センサ１９を含むが、これらはタンク２の蓋２ａから開始して、その底部に向かって下方に垂直に延び、そこからそれぞれ低レベル及び高レベルに等しい距離にて停止している。センサ１７及び１９は、処理液体レベルが低レベルを下回った際にタンク２の充填を命令し、液体が高レベルに到達した際に充填を停止するマイクロコントローラ１４に接続される。本発明の本実施形態では、高及び低レベル検出器は、変換器４の上方の水の高さが１５ｍｍ〜２１ｍｍに含まれるように残留するよう配置される。
【００３６】
図４に示される本発明の特に興味深い変形において、装置は、タンク２内の液体の完全な不在を検出するのに好適であるようその底部の近傍に配置される第３のセンサ２２を備える。これは、以下に、０レベルセンサと指定されている。
【００３７】
３つのセンサは電子管理手段、例えばマイクロコントローラ１４と関連するが、これは特に、サイクル開始時にポンプ９の実際の流速ρ１を決定すること、及び装置の作動中に室内に実際に放散される処理液体の流速を意味する放散速度ρ２を測定することの両方を可能にする。
【００３８】
これを行うために、マイクロコントローラ１４はサイクル開始持に、液体の低レベルと高レベルとの間に含まれるタンク２の容積Ｖ１をポンプ９が充填するのに要する時間ｔ１を測定する。したがって、ポンプ９の実際の流速ρ１は、ρ１＝Ｖ１／ｔ１である。
【００３９】
更に、ユーザーは、制御操作手段１５により、処置サイクル中に室内にミスト散布したい容積Ｖｄを入力する可能性を有し、それにより次にマイクロコントローラ１４は、ポンプ９がこの処理製品の容積Ｖｄをタンク２内に至らせるのに要するポンプ９の作動時間Ｔを計算することができるが、これは、Ｔ＝Ｖｄ／ρ１である。時間Ｔが経過したら、マイクロコントローラ１４は、この処理サイクルのポンプ９の最終停止を命令し、ミスト散布は、０レベルセンサがタンク２が完全に空となったこと（空は処置サイクルの完了を表す）を検出するまで継続する。
【００４０】
処理サイクル中、マイクロコントローラ１４は、液体が高センサ１９に到達したらポンプ９の作動を中断するよう命令し、次に低センサ１７がもはや浸水しなくなったらその再開を命令することが理解される。したがって、全作動時間Ｔは、高レベルと低レベルとの間のポンプの異なる作動時間の合計から構成される。
【００４１】
加えて、作動中、マイクロコントローラ１４は、液体が高レベル（センサ１７で検出）にある瞬間と、低レベル（センサ１９で検出）にある瞬間との間で経過する時間Ｔ２を算出することが可能であるが、これは、２つのセンサ間に含まれる液体の容積と等しい、液体の容積Ｖ２のミスト散布に対応する。次に、放散速度ρ２を決定することが可能であるが、これは使用される液体の流速、ρ２＝Ｖ２／ｔ２である。これが不十分であると判明した場合、マイクロコントローラの適切なプログラミングは、マイクロコントローラが、例えば圧電変換器４への供給電圧を増大させることにより流速を上昇させるよう作用することを可能にする。
【００４２】
変換器４の振動により生成される妨害によりセンサが乱されることを回避するために、それらは図４に示されるように、処理液体へのアクセスを乱すことなくそれらを包囲する、仕切り２１により保護される。
【００４３】
タンク２を密封することが好ましいが、これによりユーザーは、その外部に漏洩する危険性を有することなく装置を容易に移動できることを可能にするであろう。
【００４４】
更に、ポンプ９が可逆タイプである限りにおいて、マイクロコントローラは、サイクル完了時、タンク２内に残留する、即ち低レベルセンサ１７とゼロレベルセンサとの間に残留する液体を、カートリッジ１３内に戻すよう処理液体の回収を命令することができる。
【００４５】
〔実施の態様〕
（１）  液体処理製品（３）を室の体積内にミスト散布することによる、前記室の汚染除去用の装置であって、前記製品を受容するタンク（２）と、前記製品（３）の表面領域内に前記製品の微小滴を生成するのに好適な手段（４）と、これらの微小滴と混合することにより前記微小滴を伴出可能な気流を形成するのに好適な手段（６）と、かように形成された前記ミストを前記室内に噴射するのに好適な手段（１０、１２）と、を備えるタイプの装置において、前記気流が前記気流の軸と一致する軸（ｘｘ’）を有する収束管（１８）を交差し、この管が、前記液体製品（３）の前記表面の近傍に開放し、かつ前記表面に対して角度（β）で傾斜していることを特徴とする、装置。
（２）  前記収束管（１８）の前記傾斜角（５）が、前記液体の前記表面に対してほぼ４５°であることを特徴とする、実施態様１に記載の汚染除去装置。
（３）  前記気流を形成する前記手段が、ファン（６）により構成されることを特徴とする、実施態様１又は２に記載の汚染除去装置。
（４）  前記小滴を生成する前記手段が、圧電発電機（４）から構成されることを特徴とする、実施態様１〜３のいずれかに記載の汚染除去装置。
（５）  前記圧電発電機（４）が、前記タンク（２）の底部に配置されていることを特徴とする、実施態様４に記載の汚染除去装置。
（６）  前記収束管（１８）を離れる前記気流が、前記圧電発電機（４）の上方に位置する前記処理液体の前記表面上に指向されていることを特徴とする、実施態様４又は５に記載の汚染除去装置。
（７）  前記気流と混合される前記処理液体小滴のサイズを制御する手段（１０）を備えることを特徴とする、実施態様１〜６のいずれかに記載の汚染除去装置。
（８）  前記制御手段が、規定の高さ（ｈ）を有する実質的に垂直な円筒管（１０）から構成され、前記円筒管の上流端が前記処理液体小滴の生成領域の上方に配置され、下流端には噴射ノズル（１２）が設けられていることを特徴とする、実施態様７に記載の汚染除去装置。
（９）  噴射ノズルが、収束ライン（１２）から構成されていることを特徴とする、実施態様８に記載の汚染除去装置。
（１０）  前記タンク（２）が、処理液体（３）供給手段（９）を含み、またレベル制御手段と関連した前記タンク（１４）内の前記液体用の高レベルセンサ（１９）及び低レベルセンサ（１７）も含むことを特徴とする、実施態様１〜９のいずれかに記載の汚染除去装置。
【００４６】
（１１）  前記タンクが、液体の不在を検出するセンサ（２０）を含むことを特徴とする、実施態様１０に記載の汚染除去装置。
（１２）  前記センサ（１７、１９、２０）に、微小滴を生成するのに好適な前記手段により生じる撹乱に対抗する保護要素（２１）が設けられていることを特徴とする、実施態様１０に記載の汚染除去装置。
（１３）  前記供給手段がポンプ（９）、例えば、特に蠕動タイプの可逆ポンプから構成されていることを特徴とする、実施態様１０〜１２のいずれかに記載の汚染除去装置。
（１４）  処理液体の前記供給手段（９）の流速（ρ１）を計算する電子手段（１４）を備え、前記計算が、前記供給手段が前記液体レベルを１つのセンサから他のセンサへ至らせるのに要する時間（ｔ１）の測定値に基づいていることを特徴とする、実施態様１０〜１３のいずれかに記載の汚染除去装置。
（１５）  分布される前記液体の前記レベルを、上部センサの検出位置から下部センサの検出位置まで低下させるのに前記装置が要する時間（ｔ２）を測定することにより、前記装置の分布速度（ρ２）を計算する電子手段（１４）を備えることを特徴とする、実施態様１０〜１４のいずれかに記載の汚染除去装置。
（１６）  特にサイクル完了時に、前記ポンプ（９）により前記タンク（２）内に残留する前記処理液体を回収して貯蔵バレル内に戻すのに好適な手段を備えることを特徴とする、実施態様１３〜１５のいずれかに記載の汚染除去装置。
【図１】
2012515589.tif 000003
【図２】
2012515589.tif 000004
【図３】
2012515589.tif 000005
【図４】
2012515589.tif 000006
【国際調査報告】
2012515589.tif 000007
2012515589.tif 000008
2012515589.tif 000009
2012515589.tif 000010